【手続補正書】
【提出日】平成24年11月6日(2012.11.6)
【手続補正１】
【補正対象書類名】明細書
【補正対象項目名】発明の名称
【補正方法】変更
【補正の内容】
【発明の名称】半導体装置、表示装置、液晶表示装置、表示モジュール及び電子機器
【手続補正２】
【補正対象書類名】特許請求の範囲
【補正対象項目名】全文
【補正方法】変更
【補正の内容】
【特許請求の範囲】
【請求項１】
第１乃至第９のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、前記第５の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有し、
前記第８のトランジスタのソース又はドレインの一方は、前記第３の配線と電気的に接続され、
前記第８のトランジスタのソース又はドレインの他方は、前記第１のトランジスタのゲートと電気的に接続され、
前記第８のトランジスタのゲートは、第６の配線と電気的に接続され、
前記第９のトランジスタのソース又はドレインの一方は、前記第３の配線と電気的に接続され、
前記第９のトランジスタのソース又はドレインの他方は、前記第６のトランジスタのゲートと電気的に接続され、
前記第９のトランジスタのゲートは、前記第５の配線と電気的に接続されることを特徴とする半導体装置。
【請求項２】
第１乃至第８のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、前記第５の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有し、
前記第８のトランジスタのソース又はドレインの一方は、前記第３の配線と電気的に接続され、
前記第８のトランジスタのソース又はドレインの他方は、前記第１のトランジスタのゲートと電気的に接続され、
前記第８のトランジスタのゲートは、第６の配線と電気的に接続されることを特徴とする半導体装置。
【請求項３】
第１乃至第８のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、前記第５の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有し、
前記第８のトランジスタのソース又はドレインの一方は、前記第３の配線と電気的に接続され、
前記第８のトランジスタのソース又はドレインの他方は、前記第６のトランジスタのゲートと電気的に接続され、
前記第８のトランジスタのゲートは、前記第５の配線と電気的に接続されることを特徴とする半導体装置。
【請求項４】
第１乃至第７のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、前記第５の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有することを特徴とする半導体装置。
【請求項５】
第１乃至第９のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、第６の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有し、
前記第８のトランジスタのソース又はドレインの一方は、前記第３の配線と電気的に接続され、
前記第８のトランジスタのソース又はドレインの他方は、前記第１のトランジスタのゲートと電気的に接続され、
前記第８のトランジスタのゲートは、第７の配線と電気的に接続され、
前記第９のトランジスタのソース又はドレインの一方は、前記第３の配線と電気的に接続され、
前記第９のトランジスタのソース又はドレインの他方は、前記第６のトランジスタのゲートと電気的に接続され、
前記第９のトランジスタのゲートは、前記第６の配線と電気的に接続されることを特徴とする半導体装置。
【請求項６】
第１乃至第８のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、第６の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有し、
前記第８のトランジスタのソース又はドレインの一方は、前記第３の配線と電気的に接続され、
前記第８のトランジスタのソース又はドレインの他方は、前記第１のトランジスタのゲートと電気的に接続され、
前記第８のトランジスタのゲートは、第７の配線と電気的に接続されることを特徴とする半導体装置。
【請求項７】
第１乃至第８のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、第６の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有し、
前記第８のトランジスタのソース又はドレインの一方は、前記第３の配線と電気的に接続され、
前記第８のトランジスタのソース又はドレインの他方は、前記第６のトランジスタのゲートと電気的に接続され、
前記第８のトランジスタのゲートは、前記第６の配線と電気的に接続されることを特徴とする半導体装置。
【請求項８】
第１乃至第７のトランジスタを有し、
前記第１のトランジスタのソース又はドレインの一方は、第１の配線と電気的に接続され、
前記第１のトランジスタのソース又はドレインの他方は、第２の配線と電気的に接続され、
前記第２のトランジスタのソース又はドレインの一方は、第３の配線と電気的に接続され、
前記第２のトランジスタのソース又はドレインの他方は、前記第２の配線と電気的に接続され、
前記第２のトランジスタのゲートは、前記第４のトランジスタのゲートと電気的に接続され、
前記第３のトランジスタは、第４の配線の電位を前記第６のトランジスタのゲートに供給することができる機能を有し、
前記第４のトランジスタは、前記第３の配線の電位を前記第６のトランジスタのゲートに供給することができる機能を有し、
前記第５のトランジスタのソース又はドレインの一方は、第５の配線と電気的に接続され、
前記第５のトランジスタのソース又はドレインの他方は、前記第１のトランジスタのゲートと電気的に接続され、
前記第５のトランジスタのゲートは、第６の配線と電気的に接続され、
前記第６のトランジスタのソース又はドレインの一方は、前記第３の配線と電気的に接続され、
前記第６のトランジスタのソース又はドレインの他方は、前記第１のトランジスタのゲートと電気的に接続され、
前記第７のトランジスタは、前記第３の配線の電位を前記第６のトランジスタのゲートに供給することができる機能を有することを特徴とする半導体装置。
【請求項９】
請求項１乃至請求項８のいずれか一項において、
前記第１のトランジスタのＷ（Ｗはチャネル幅）／Ｌ（Ｌはチャネル長）は、前記第２のトランジスタのＷ／Ｌよりも大きい値を有し、
前記第１のトランジスタのＷ／Ｌは、前記第３のトランジスタのＷ／Ｌよりも大きい値を有し、
前記第１のトランジスタのＷ／Ｌは、前記第４のトランジスタのＷ／Ｌよりも大きい値を有し、
前記第１のトランジスタのＷ／Ｌは、前記第５のトランジスタのＷ／Ｌよりも大きい値を有し、
前記第１のトランジスタのＷ／Ｌは、前記第６のトランジスタのＷ／Ｌよりも大きい値を有し、
前記第１のトランジスタのＷ／Ｌは、前記第７のトランジスタのＷ／Ｌよりも大きい値を有することを特徴とする半導体装置。
【請求項１０】
請求項１乃至請求項９のいずれか一項に記載の半導体装置と、画素と、を有し、
前記画素は、表示素子を有し、
前記画素は、前記第２の配線と電気的に接続されていることを特徴とする表示装置。
【請求項１１】
請求項１乃至請求項９のいずれか一項に記載の半導体装置と、画素と、を有し、
前記画素は、発光素子を有し、
前記画素は、前記第２の配線と電気的に接続されていることを特徴とする表示装置。
【請求項１２】
請求項１乃至請求項９のいずれか一項に記載の半導体装置と、画素と、を有し、
前記画素は、液晶素子を有し、
前記画素は、前記第２の配線と電気的に接続されていることを特徴とする液晶表示装置。
【請求項１３】
請求項１乃至請求項９のいずれか一項に記載の半導体装置、請求項１０若しくは請求項１１に記載の表示装置、又は請求項１２に記載の液晶表示装置と、
ＦＰＣと、を有することを特徴とする表示モジュール。
【請求項１４】
請求項１乃至請求項９のいずれか一項に記載の半導体装置、請求項１０若しくは請求項１１に記載の表示装置、請求項１２に記載の液晶表示装置、又は請求項１３に記載の表示モジュールと、
操作スイッチ、筐体又はスピーカーと、を有することを特徴とする電子機器。